(57)【要約】 【課題】  カード作成用紙を切断して各カード形成領域毎に分離する作業を簡易に行うことのできるカード作成方法、カード作成用紙、及びカッターを提供することにある。【解決手段】  名刺作成用紙１において、カード形成領域３の縦横の辺のうち一方があらかじめ切断されたスリット線４とされている。そして、この名刺作成用紙１をカッター１０にセットして、スライダ部５１を走行させ、縦辺５に沿って切断する。このようにして縦辺５を切断するだけで簡単に名刺作成用紙１を各カード形成領域３毎に分離できるので、簡単に名刺７を作成できる。また、カッター１０は、名刺作成用紙１を挟み込む載置板１２および押さえ蓋２１とを備えた支持部１１と、一対のカッター刃５５とからなる簡易な構成であるので、需要者が手軽に導入することができる。【選択図】  図４
2005199470.tif 000002
【特許請求の範囲】
【請求項１】
矩形状をなす複数のカード形成領域が並列して設けられているカード作成用紙に記載内容を印刷する印刷工程と、
前記用紙を切断することにより前記カード形成領域を切り離す切断工程とを経るカード作成方法であって、
前記カード作成用紙には、前記カード形成領域の縦横の辺のうち一方の辺に沿ってあらかじめ切断された切断線が設けられており、
前記切断工程において、前記カード作成用紙を前記縦横の辺のうち他方の辺に沿って切断することを特徴とするカード作成方法。
【請求項２】
矩形状をなす複数のカード形成領域が並列して設けられているカード作成用紙であって、
前記各カード形成領域の縦横の辺のうち一方の辺に沿ってあらかじめ切断された切断線が設けられていることを特徴とするカード作成用紙。
【請求項３】
矩形状をなす複数のカード形成領域が並列して設けられているとともに、前記各カード形成領域の縦横の辺のうち一方の辺に沿ってあらかじめ切断された切断線が設けられているカード作成用紙を切断してカードを作成するためのカッターであって、
前記カード作成用紙を支持する支持板とこの支持板との間に前記カード作成用紙を挟み込む押さえ部材とを備えた支持部とを備え、
前記支持部には、前記カード形成領域の縦横の辺のうち前記切断線が設けられた側とは異なる側の一対の辺に対応する一対の前記カッター刃を備えたスライダ部が前記一対の辺に沿って摺動可能に取り付けられるとともに、前記スライダにはこのスライダの摺動操作を行うための持ち手部が設けられ、前記スライダ部の摺動操作に伴って前記一対のカッター刃が走行しつつ前記カード作成用紙を切断するようにされていることを特徴とするカッター。
【請求項４】
前記支持部には、前記カード作成用紙に設けられた切り欠き部と係合することにより前記カード作成用紙を所定の位置に位置決めする位置決め突起が設けられていることを特徴とする請求項３に記載のカッター。
【請求項５】
前記位置決め突起が前記カード作成用紙の幅方向に沿って移動可能とされていることを特徴とする請求項３または請求項４に記載のカッター。
【請求項６】
前記支持板が前記カード形成領域と同幅とされており、この支持板の側縁に沿って前記カッター刃が走行することを特徴とする請求項３〜請求項５のいずれかに記載のカッター。
【発明の詳細な説明】
【技術分野】
【０００１】
本発明は、カード作成方法、カード作成用紙、及びカッターに関する。
【背景技術】
【０００２】
従来、名刺などのカードを作成するために、例えば特許文献１に記載のカード裁断機が使用されている。このものは、複数の名刺作成領域が備えられた用紙に所定の内容が印刷されたものを、内部に備えられたスリッターおよびカッターによって縦横に切断して、各名刺作成領域毎に分割するものである。
【特許文献１】特開平１０−１３９１７６号公報
【発明の開示】
【発明が解決しようとする課題】
【０００３】
ところで、近年、需要者の個々のニーズに合わせてデザインされた少量多種のカードを、手軽に作成したいというニーズが高まっている。このような場合には、需要者がパソコン等でデザインしたものを、普及型プリンタを用いて用紙に印刷し、その後にその用紙を切断して個々のカードに分割することとなる。このような場合、切断を全て手作業で行うのでは手間がかかってしまう。一方、上記のような裁断装置は、大掛かりかつ高価であるため、需要者の手軽にカードを作成したいというニーズに適切に応えられるものではない。
【０００４】
本発明は、上記した事情に鑑みてなされたものであり、その目的は、カード作成用紙を切断して各カード形成領域毎に分離する作業を簡易に行うことのできるカード作成方法、カード作成用紙、及びカッターを提供することにある。
【課題を解決するための手段】
【０００５】
上記の課題を解決するために請求項１の発明に係るカード作成方法は、矩形状をなす複数のカード形成領域が並列して設けられているカード作成用紙に記載内容を印刷する印刷工程と、前記用紙を切断することにより前記カード形成領域を切り離す切断工程とを経るカード作成方法であって、前記カード作成用紙には、前記各カード形成領域の縦横の辺のうち一方の辺に沿ってあらかじめ切断された切断線が設けられており、前記切断工程において、前記カード作成用紙を前記縦横の辺のうち他方の辺に沿って切断することを特徴とする。
【０００６】
請求項２の発明は、矩形状をなす複数のカード形成領域が並列して設けられているカード作成用紙であって、前記各カード形成領域の縦横の辺のうち一方の辺に沿ってあらかじめ切断された切断線が設けられていることを特徴とする。
【０００７】
請求項３の発明は、矩形状をなす複数のカード形成領域が並列して設けられているとともに、前記各カード形成領域の縦横の辺のうち一方の辺に沿ってあらかじめ切断された切断線が設けられているカード作成用紙を切断してカードを作成するためのカッターであって、前記カード作成用紙を支持する支持板とこの支持板との間に前記カード作成用紙を挟み込む押さえ部材とを備えた支持部とを備え、前記支持部には、前記カード形成領域の縦横の辺のうち前記切断線が設けられた側とは異なる側の一対の辺に対応する一対の前記カッター刃を備えたスライダ部が前記一対の辺に沿って摺動可能に取り付けられるとともに、前記スライダにはこのスライダの摺動操作を行うための持ち手部が設けられ、前記スライダ部の摺動操作に伴って前記一対のカッター刃が走行しつつ前記カード作成用紙を切断するようにされていることを特徴とする。
【０００８】
請求項４の発明は、請求項３に記載のカッターであって、前記支持部には、前記カード作成用紙に設けられた切り欠き部と係合することにより前記カード作成用紙を所定の位置に位置決めする位置決め突起が設けられていることを特徴とする。
【０００９】
請求項５の発明は、請求項３または請求項４に記載のカッターであって、前記位置決め突起が前記カード作成用紙の幅方向に沿って移動可能とされていることを特徴とする。
【００１０】
請求項６の発明は、請求項３〜請求項５のいずれかに記載のカッターであって、前記支持板が前記カード形成領域と同幅とされており、この支持板の側縁に沿って前記カッター刃が走行することを特徴とする。
【発明の効果】
【００１１】
請求項１の発明によれば、各カード形成領域の縦横の辺のうち一方の辺に沿ってあらかじめ切断された切断線が設けられており、切断工程において、カード作成用紙を縦横の辺のうち他方の辺に沿って切断することによりカード形成領域を切り離す。このように、カード形成領域の縦横の辺のうち一方があらかじめ切断されているから、他方の辺に沿ってカード作成用紙を切断するだけで簡単にカード形成領域を分離でき、簡易にカードを作成することができる。
【００１２】
請求項２の発明によれば、各カード形成領域の縦横の辺のうち一方の辺に沿ってあらかじめ切断された切断線が設けられている。このように、カード形成領域の縦横の辺のうち一方があらかじめ切断されているから、他方の辺に沿ってカード作成用紙を切断するだけで簡単にカード形成領域を分離でき、簡易にカードを作成することができる。
【００１３】
請求項３の発明によれば、各カード形成領域の縦横の辺のうち一方の辺に沿ってあらかじめ切断された切断線が設けられたカード作成用紙をセットして、スライダ部を摺動させるだけで簡単にカード形成領域を分離し、カードを作成できる。このとき、カッターのスライダ部には、カード形成領域の縦横の辺のうち切断線が設けられた側とは異なる側の一対の辺に対応する一対のカッター刃が取り付けられている。これにより、スライダ部を１回走行させるのみで、一対のカッター刃により切断線と直交する一対の辺を同時に切断してカード形成領域を分離することができるから、カード作成の手間がいっそう軽減される。また、カッターは、カード作成用紙を挟み込む支持板および押さえ部材とを備えた支持部と、カッター刃を備えたスライダとからなる簡易な構成であるので、安価に提供することができる。さらに、コンパクトな構成であり、広い設置スペースを占有することがない。このため、需要者が手軽に導入することができる。
【００１４】
請求項４の発明によれば、カッターの支持部には、カード作成用紙に設けられた切り欠き部と係合することによりカード作成用紙の位置決めを行う位置決め突起が設けられている。このような構成によれば、カード作成用紙の切断位置を正確に決めることができる。
【００１５】
請求項５の発明によれば、位置決め突起がカード作成用紙の幅方向に移動可能とされている。このような構成によれば、カード作成用紙への印字位置が幅方向へ若干ずれたとしても、位置決め突起を移動することによって、カード作成用紙の切断位置のずれを防止することができる
【００１６】
請求項６の発明によれば、支持板が前記カード形成領域と同幅とされており、この支持板の側縁に沿って前記カッター刃が走行する。このような構成によれば、支持板の幅を、カード作成用紙を支持するために必要な最小限度とすることができ、カッターの構成をいっそうコンパクトにできる。
【発明を実施するための最良の形態】
【００１７】
以下、本発明を具体化した一実施形態について、図１〜図１０を参照しつつ詳細に説明する。
【００１８】
図１には、本実施形態の名刺作成用紙１（本発明のカード作成用紙に該当する）を示した。この名刺作成用紙１は、Ａ４版の紙を縦長に使用したもので、その幅方向中央位置に設けられたミシン目２によって、２列に仕切られている。各列には、名刺大の矩形状のカード形成領域３が、縦方向に４段並列されている。このカード形成領域３の縦横の辺のうち横辺は、あらかじめ切断されたスリット線４とされている。また、各列において上下（短辺側）の両端縁には、それぞれ幅方向中央位置に、位置決めのための半円状の切り欠き部６が設けられている。
【００１９】
この名刺作成用紙１は、ミシン目２から切断することによって２列に分けられた後、図１中点線で表したカード形成領域３の縦辺５に沿った位置から長辺側の端縁部を切り落とすことにより、各カード形成領域３ごとに分割されて名刺７となる（図２、図３参照）。
【００２０】
次に、この名刺作成用紙１を切断するためのカッター１０について説明する。図４〜図６には、カッター１０の斜視図、上面図、側面図をそれぞれ示した。このカッター１０には、名刺作成用紙１を支持する支持部１１と、一対のカッター刃５５を備えてこの支持部１１に摺動可能に取り付けられるスライダ部５１とが備えられている。
【００２１】
カッター１０の支持部１１は、名刺作成用紙１を載置する載置板１２（本発明の支持板に該当する）と、この載置板１２に載置された名刺作成用紙１を押さえる押さえ蓋２１（本発明の押さえ部材に該当する）と、この載置板１２および押さえ蓋２１を保持する保持部３１とで構成されている。載置板１２は、長尺の板状に形成されて、その幅は名刺７の横幅、すなわち１列のカード形成領域３を形成している一対の縦辺５間の幅と同幅に形成されている。
【００２２】
この載置板１２の上面には、押さえ蓋２１が重ねられている。押さえ蓋２１は、矩形板状に形成されており、その周縁部には、上方（載置板１２との対向面と逆側）へ向かって突設された枠部２１Ａが全周に渡って設けられている。この押さえ蓋２１は、名刺作成用紙１の一対の縦辺５の間隔よりもやや幅狭に形成されており、載置板１２上に載置された名刺作成用紙１を、縦辺５を両側縁から露出させつつ押さえることができるようになっている。この押さえ蓋２１における両端縁には、一対のヒンジ軸が、長尺方向に突出して形成されている。また、この両端縁において幅方向の中央位置には、半円状の凹部２３が設けられている。さらに、長辺側の両側縁には、後述のスライダ部５１を取り付けるための蓋側案内溝２４が長さ方向に渡って設けられている。
【００２３】
この載置板１２と押さえ蓋２１とは、一対の保持部３１によって保持されている。保持部３１は、押さえ蓋２１と同幅に形成されたカバー部３２と脚部３３とに分割して形成されており、載置板１２を上下から挟み付けて保持するようにされている。（なお、この一対の保持部３１およびこの保持部３１に取り付けられる位置決め部６１の説明において、互いに相手側と対向する側を前面側とする。）
脚部３３は、押さえ蓋２１と同幅のブロック状に形成されている。この脚部３３の上面には、幅方向に並列する３つのツマミ止め孔３８が設けられている。また、カバー部３２は、下側が開放された箱状に形成されている。このカバー部３２は、脚部３３よりもやや長く形成されており、互いに相手側に向かって張り出すようにしつつ脚部３３の上側に組み付けられ、図示しないねじにより脚部３３に固定されるようになっている。このカバー部３２の両側面には、蓋側案内溝２４と連通されてスライダ部５１を案内する保持側案内溝３９が、ほぼ全長にわたって設けられている。
また、カバー部３２における前側の壁部の上端縁には、ヒンジ軸受が設けられており、ここには、押さえ蓋２１に設けられたヒンジ軸が嵌め付けられている。これにより、押さえ蓋２１がヒンジ軸を中心として、載置板１２に重ねられて名刺作成用紙１を押さえる閉じ位置と、載置板１２から離間する開き位置との間で回動可能に支持されている。
【００２４】
このカバー部３２の内部には、名刺作成用紙１を所定の位置に固定する位置決め部６１が取り付けられている（図５、図１０参照）。この位置決め部６１は、名刺作成用紙１に設けられた切り欠き部６と係合して位置決めを行う係合部６２と、この係合部６２の微調整を行う調整部６３とで構成されている。係合部６２には、矩形板状の連結部６４と、この連結部６４の一端部から突設された位置決め突起６５とが備えられている。
連結部６４の上面側には、幅方向に渡って延びる二筋の案内壁６６が並列して設けられている。一方、カバー部３２の天井面には、前側の壁部よりもやや後側位置に、Ｈ字状の案内壁受４３が設けられており、このＨ字の横棒部分を連結部６４における二筋の案内壁６６の間に差し入れることによって、連結部６４が保持部３１に固定されるようになっている。案内壁受４３におけるＨ字の横棒部分は、案内壁６６よりもやや長く形成されており、これにより、連結部６４が案内壁受４３に係合した状態で幅方向に僅かに移動できるようになっている。また、二筋の案内壁６６のうち位置決め突起６５側と逆側の壁６６には、その幅方向中央位置に、後側に向かって突設する連結突起６７が設けられている。
カバー部３２の前側の壁部において幅方向の中央位置には、その下側半分を切り欠くことによって前側開口部４４が設けられており、ここから位置決め突起６５が突出されるようになっている。位置決め突起６５の先端は半円状に丸められており、この部分が名刺作成用紙１に設けられた切り欠き部６と係合するようになっている。
一方、調整部６３は、帯状の回動部６８と、この回動部６８の後端から後方に延設されるツマミ部７１とで構成されている。回動部６８の前端付近には、回動軸受孔６９が設けられている。一方、カバー部３２の天井面には、案内壁受４３よりもやや中央寄りの位置に回動軸４１が突設されており、この回動軸４１と回動軸受孔６９とが係合することで、回動部６８が回動軸４１を中心に回動するようになっている。回動部６８の前端には、二股の連結受け部７０が前方に向かって突設されており、この連結受け部７０によって係合部６２の連結突起６７が挟み込まれることによって、係合部６２と調整部６３とが連結されている。また、カバー部３２の後側の壁部において幅方向の中央位置には、その下側半分を切り欠くことによって後側開口部４５が設けられており、ここからツマミ部７１が突出されるようになっている。なお、後側の壁部においてこの後側開口部４５の周囲はやや内側へ向かって窪んでおり、ツマミ部７１があまり大きく後方に突出しないようになっている。
回動部６８の後端付近には、Ｕ字状の切り欠きが設けられることによって前方が固定された片持ち状の撓み片７２が設けられており、この撓み片７２の下面側には、半球状の調整突起７３が突設されている。この調整突起７３は、脚部３３の上面に設けられた３つのツマミ止め孔３８と係合するようにされている。
【００２５】
スライダ部５１は、押さえ蓋２１に取り付けられるスライダ本体５２（本発明の持ち手部を兼ねる）と、このスライダ本体５２に取り付けられるカッター刃５５とを備えている。スライダ本体５２は、下方を開放した断面Ｕ字型に形成されている。このスライダ本体５２の両側壁部には、シャフト受け５４が嵌め付けられており、これによりカッターシャフト５６の両端が支持されている。
【００２６】
また、両側壁部の下端縁から角部周りにかけての部分は下方に延設され、その両端部には、それぞれブロック状の案内突起５７が内側へ向かって突設されている。スライダ部５１がカッター１０に取り付けられる際には、スライダ本体５２が押さえ蓋２１を上から跨ぐようにされ、この案内突起５７が蓋側案内溝２４および保持側案内溝３９に摺動可能に係合される。両案内溝２４、３９は連通されているから、案内突起は、両案内溝２４、３９内を行き来することができ、これにより、スライダ部５１が押さえ蓋２１および保持部３１上を、その長さ方向のほぼ全域にわたって移動できるようになっている。
【００２７】
また、スライダ本体５２の内部において両側壁部付近には、一対のカッター刃５５がカッターシャフト５６に支持されている。スライダ部５１が押さえ蓋２１に取り付けられた状態では、カッター刃５５の下端側がスライダ本体５２から露出されており、スライダ部５１の摺動に伴って、この露出部分が載置板１２の両側縁部、すなわちこの載置板１２にセットされた名刺作成用紙１において一列のカード形成領域３を構成する一対の縦辺５に沿って移動するようになっている。
【００２８】
次に、上記のように構成された本実施形態の作用および効果について説明する。
【００２９】
本実施形態の名刺作成用紙１、およびカッター１０を用いて名刺７を作成するためには、まず、普及型プリンタ等を用いて、名刺作成用紙１の各カード形成領域３に、氏名、連絡先等の所定の事項を印刷する（図１）。次に、この名刺作成用紙１を、ミシン目２から２列に分割する（図２）。
【００３０】
このように分割された名刺作成用紙１を、カッター１０を用いて切断する。切断工程の概略を図７に示した。
【００３１】
まず、スライダ部５１を一方の保持部３１Ａ側へ逃がし、押さえ蓋２１上から外れるようにした状態で、この押さえ蓋２１を開く。そして、名刺作成用紙１の切り欠き部６を位置決め部６１の位置決め突起６５に合わせつつ、分割された名刺作成用紙１の１列を載置板１２上に載置する（図７Ａ、図８、図９参照）。このとき、名刺作成用紙１の一対の縦辺５と載置板１２の両側縁とが整合している。ここで、カード作成領域３への印刷は、汎用のプリンタ等によって行うのであるが、印字位置が幅方向に僅かにずれてしまうことがある。
このような場合には、位置決め突起６５の位置を微調整することによって、印字位置が両サイドのカッター刃５５からみて丁度良い位置に来るように名刺作成用紙１を位置決めし、切断位置を印字位置に合わせてずらすようにする（図１０参照）。具体的には、位置決め部６１のツマミ部７１を幅方向に動かし、回動部６８を回動軸４１を中心にして回動させる。このとき、調整突起７３が撓み片７２を撓ませつつツマミ止め孔３８から脚部３３の上面へ乗り上げ、隣接するツマミ止め孔３８へ移動する。
回動部６８を回動させることにより、その先端に設けられた連結受け部７０が係合部６２の連結突起６７を押すようにしてツマミ部７１とは対称方向に移動し、これに伴って、係合部６２が幅方向へ移動する。これにより、位置決め突起６５の位置を微調整し、名刺作成用紙１を適切な位置に位置決めすることができる。
【００３２】
次に、押さえ蓋２１を閉じて名刺作成用紙１を押さえる。次いで、スライダ部５１を押さえ蓋２１の長さ方向に沿って他方の保持部３１Ｂ上まで摺動させる（図４参照）。すると、このスライダ部５１の下側から露出しているカッター刃５５が、載置板１２の両側縁に沿って移動する。これにより、カッター刃５５が上刃、載置板１２の両側縁が下刃の役割を果たし、名刺作成用紙１が縦辺５に沿って切断されていく（図７Ｂ参照）。
【００３３】
スライダ部５１が他方の保持部３１Ｂ側まで移動すると、名刺作成用紙１の両側縁が縦辺５に沿った位置から切り落とされる。ここで、名刺作成用紙１において、各カード形成領域３を構成する２対の辺のうち、横辺がもともと切断されているスリット線４となっているから、縦辺５を切断したことによって４つのカード形成領域３が分離されて名刺７となる。
最後に、押さえ蓋２１を開放して名刺作成用紙１を取り出す（図７Ｃ）。このようにして名刺７の作成が完了する。
【００３４】
以上のように本実施形態によれば、名刺作成用紙１において、カード形成領域３の縦横の辺のうち一方があらかじめ切断されたスリット線４とされている。そして、この名刺作成用紙１に普及型プリンタ等を用いて印刷を行った後、カッター１０にセットして、スライダ部５１を走行させ、縦辺５に沿って切断する。このようにして縦辺５を切断するだけで簡単に名刺作成用紙１を各カード形成領域３毎に分離できるので、簡単に名刺７を作成できる。
【００３５】
また、カッター１０は、名刺作成用紙１を挟み込む載置板１２および押さえ蓋２１とを備えた支持部１１と、カッター刃５５とからなる簡易な構成であるので、安価に提供することができる。また、コンパクトな構成であり、広い設置スペースを占有することがない。このため、需要者が手軽に導入することができる。さらに、カッター１０のスライダ部５１にはカッター刃５５が一対備えられており、スライダ部５１の摺動に伴ってこの一対のカッター刃５５が一対の縦辺５を同時に切断する。このような構成によれば、スライダ部５１を１回走行させるのみで、カード形成領域３の一対の縦辺５を一度に切断することができるので、名刺作成の手間がいっそう軽減される。
【００３６】
本発明の技術的範囲は、上記した実施形態によって限定されるものではなく、例えば、次に記載するようなものも本発明の技術的範囲に含まれる。その他、本発明の技術的範囲は、均等の範囲にまで及ぶものである。
（１）本実施形態においては名刺７を作成する例について説明したが、本発明は、名刺の作成に限らず、例えばメッセージカードや会員証など種々のカードに適用できるものである。
（２）本実施形態によれば、名刺作成用紙１はＡ４版のものであったが、本発明によればカード作成用紙のサイズとしては特に制限はなく、例えばＡ３版、Ｂ４版などであってもよい。また、使用方向についても縦長に限らず、横長に使用してもよい。さらに、カード形成領域の列数、段数についても本実施形態の限りではなく、作成したいカードの大きさ等を考慮して自由に設定して構わない。
（３）本実施形態によれば、カード形成領域３を構成する縦横の辺のうち横辺がスリット線４とされていたが、縦辺を切断線としても構わない。
（４）本実施形態によれば、ツマミ部７１の操作によって位置決め突起６５の位置を微調整可能とされていたが、本発明によれば位置決め突起は定位置に固定されていても構わない。
【図面の簡単な説明】
【００３７】
【図１】本実施形態の名刺作成用紙を示す上面図
【図２】名刺作成用紙を２列に分割した様子を示す上面図
【図３】本実施形態により作成した名刺を示す上面図
【図４】本実施形態のカッターの斜視図
【図５】カッターの上面図
【図６】カッターの側面図
【図７】本実施形態における名刺の作成工程を示す図
【図８】名刺作成用紙をカッターにセットする様子を示す断面図
【図９】カッターにおける位置決め部部分の拡大図
【図１０】位置決め部を操作する様子を示す拡大図
【符号の説明】
【００３８】
１…名刺作成用紙（カード作成用紙）
３…カード形成領域
４…スリット線（一方の辺、切断線）
５…縦辺（他方の辺）
１０…カッター
１１…支持部
１２…載置板（支持板）
２１…押さえ蓋（押さえ部材）
５１…スライダ部
５５…カッター刃
６５…位置決め突起
【図１】
2005199470.tif 000003
【図２】
2005199470.tif 000004
【図３】
2005199470.tif 000005
【図４】
2005199470.tif 000006
【図５】
2005199470.tif 000007
【図６】
2005199470.tif 000008
【図７】
2005199470.tif 000009
【図８】
2005199470.tif 000010
【図９】
2005199470.tif 000011
【図１０】
2005199470.tif 000012